(57)【要約】【課題】ダイレクト印刷において、その印刷対象画像が記録されている記録媒体に対して印刷を実行する。【解決手段】画像印刷装置にダイレクトに接続して印刷対象画像の印刷を実行させる画像記録装置は、画像記録装置に備える表示部に印刷に関する設定画面を表示し、ユーザが印刷に関する設定および印刷対象画像を選択するとともに印刷開始を指示する。選択された設定に、画像記録装置に装着された記録媒体を印刷媒体とする特定のモードが含まれていた場合に、印刷開始の指示に基づいて、記録媒体から印刷対象画像の画像データの全てを、画像記録装置に備えるバッファメモリに記憶した後に、印刷対象画像の印刷ジョブの開始メッセージを画像印刷装置に通知するとともに、画像印刷装置からの要求に応じて、バッファメモリに記憶した印刷対象画像の画像データを画像印刷装置に対して送信する。【選択図】図１
2009187106.tif 000002
【特許請求の範囲】
【請求項１】
画像印刷装置にダイレクトに接続して印刷対象画像の印刷を実行させる画像記録装置であって、
表示部と、
前記表示部に印刷に関する設定画面を表示し、ユーザが印刷に関する設定および前記印刷対象画像を選択するとともに印刷開始を指示することを許容するユーザインタフェースと、
前記画像印刷装置に対して、前記印刷開始の指示に基づいて、選択された前記印刷対象画像の印刷ジョブの開始メッセージを通知するとともに、前記画像印刷装置からの要求に応じて前記印刷対象画像の画像データを送信する印刷制御手段と、
を備え、
前記印刷制御手段は、
前記選択された設定に、前記画像記録装置に装着された記録媒体を印刷媒体とする特定の設定が含まれていた場合において、
前記印刷開始の指示に基づいて、前記記録媒体から前記印刷対象画像の画像データの全てを、前記画像記録装置に備えるバッファメモリに記憶した後に、前記印刷ジョブの開始メッセージを前記画像印刷装置に通知するとともに、前記画像印刷装置からの要求に応じて、前記バッファメモリに記憶した前記印刷対象画像の画像データを前記画像印刷装置に対して送信する、
ことを特徴とする画像記録装置。
【請求項２】
請求項１記載の画像記録装置であって、
前記ユーザインタフェースは、前記バッファメモリに前記印刷対象画像の画像データの全てが記憶された後に、前記画像記録装置から前記記録媒体を脱着することを許可する旨の着脱許可表示を前記表示部に表示するとともに、ユーザが印刷動作の実行を指示することを許容し、
前記印刷制御手段は、前記印刷動作の実行の指示に基づいて、前記印刷ジョブの開始メッセージを前記画像印刷装置に通知するとともに、前記画像印刷装置からの要求に応じて、前記バッファメモリに記憶した前記印刷対象画像の画像データを前記画像印刷装置に対して送信する、
ことを特徴とする画像記録装置。
【請求項３】
画像印刷装置にダイレクトに接続して印刷対象画像の印刷を実行させる画像記録装置の制御方法であって、
前記画像記録装置に備える表示部に印刷に関する設定画面を表示し、ユーザが印刷に関する設定および前記印刷対象画像を選択するとともに印刷開始を指示し、
前記選択された設定に、前記画像記録装置に装着された記録媒体を印刷媒体とする特定のモードが含まれていた場合において、
前記印刷開始の指示に基づいて、前記記録媒体から前記印刷対象画像の画像データの全てを、前記画像記録装置に備えるバッファメモリに記憶した後に、前記印刷対象画像の印刷ジョブの開始メッセージを前記画像印刷装置に通知するとともに、前記画像印刷装置からの要求に応じて、前記バッファメモリに記憶した前記印刷対象画像の画像データを前記画像印刷装置に対して送信する、
ことを特徴とする画像記録装置の制御方法。
【発明の詳細な説明】
【技術分野】
【０００１】
本発明は、デジタルスチルカメラ（Digital Still Camera：ＤＳＣ）やデジタルビデオカメラ（Digital Video Camera：ＤＶＣ）等の画像記録装置と画像印刷装置としてのプリンタとをダイレクトに接続して、ＤＶＣやＤＳＣに備えるＤＶＤ（Digital Versatile Disk）ドライブ装置やＣＤ（Compact Disk）ドライブ装置等の記録再生デバイスに装着されているＤＶＤやＣＤ等の記録媒体に記録された画像の印刷を、パーソナルコンピュータ等のコンピュータを介さずに実行するダイレクト印刷の技術に関する。
【背景技術】
【０００２】
ＤＳＣやＤＶＣで撮影した画像の画像データを、一旦、パーソナルコンピュータ（以下、「ＰＣ」と呼ぶ）に転送し、ＰＣに転送した画像データの表す画像をプリンタで印刷するのはなく、ＤＳＣやＤＶＣから直接プリンタに画像データを転送して、転送された画像データの表す画像をプリンタで印刷するダイレクト印刷の手法として、例えば、ＣＩＰＡ（Camera & Imaging Products Association）規格ＤＣ−００１−２００３（以下、「PictBridge」と呼ぶ）が提案されている（例えば、非特許文献１参照）。
【０００３】
【非特許文献１】White Paper of CIPA DC-001-2003 Rev.2.0 Digital Photo Solutions for Imaging Devices．[online]. Camera & Imaging Products Association, April 25, 2007. [retrieved on 2007-11-29]. Retrieved from the Internet:<URL:http://www.cipa.jp/pictbridge/documents_j/WhitePaperJ_Rev.2.0.pdf>.
【特許文献１】特開２００５−２０１０７号公報
【発明の開示】
【発明が解決しようとする課題】
【０００４】
ここで、例えば、上記PictBridgeの規格に従ったダイレクト印刷の機能を有するＤＶＣとプリンタとを接続したダイレクト印刷のシステム構成において、ＤＶＣに備えるＤＶＤドライブ装置に装着されるＤＶＤに記録されている画像データの表す画像を、そのＤＶＤ自身にレーベルとして印刷したい場合がある。
【０００５】
しかしながら、この場合、レーベル印刷を行なう印刷媒体であるＤＶＤに印刷対象画像の画像データが記録されているため、この印刷媒体であるＤＶＤは記録媒体でもある。従って、印刷対象画像の画像データがプリンタに転送されて印刷が終了するまで、記録媒体でもあるＤＶＤをＤＶＣのＤＶＤドライブ装置に装着しておく必要がある。一方、印刷媒体でもあるＤＶＤにレーベル印刷を行なうためには。このＤＶＤをプリンタに印刷媒体としてセットしなければならない。
【０００６】
従って、従来のダイレクト印刷の手法では、単純には、記録媒体としてのＤＶＤに記録されている画像を、印刷媒体でもあるＤＶＤにレーベルとして印刷することは困難であった。
【０００７】
なお、この問題は、記録媒体としてのＤＶＤに記録されている画像を、印刷媒体でもあるＤＶＤに印刷する場合だけでなく、画像印刷装置にダイレクトに接続する画像記録装置の記録媒体に記録されている画像を、印刷媒体でもあるその記録媒体に印刷する場合に共通する問題である。
【０００８】
本発明の目的は、上記した従来技術の問題点を解決し、画像記録装置と画像印刷装置とをダイレクトに接続して印刷対象画像の印刷を実行するダイレクト印刷において、その印刷対象画像が記録されている記録媒体に対しても印刷を実行することができる技術を提供することにある。
【課題を解決するための手段】
【０００９】
本発明は、上述の課題の少なくとも一部を解決するためになされたものであり、以下の形態又は適用例として実現することが可能である。
【００１０】
［適用例１］
画像印刷装置にダイレクトに接続して印刷対象画像の印刷を実行させる画像記録装置であって、
表示部と、
前記表示部に印刷に関する設定画面を表示し、ユーザが印刷に関する設定および前記印刷対象画像を選択するとともに印刷開始を指示することを許容するユーザインタフェースと、
前記画像印刷装置に対して、前記印刷開始の指示に基づいて、選択された前記印刷対象画像の印刷ジョブの開始メッセージを通知するとともに、前記画像印刷装置からの要求に応じて前記印刷対象画像の画像データを送信する印刷制御手段と、
を備え、
前記印刷制御手段は、
前記選択された設定に、前記画像記録装置に装着された記録媒体を印刷媒体とする特定の設定が含まれていた場合において、
前記印刷開始の指示に基づいて、前記記録媒体から前記印刷対象画像の画像データの全てを、前記画像記録装置に備えるバッファメモリに記憶した後に、前記印刷ジョブの開始メッセージを前記画像印刷装置に通知するとともに、前記画像印刷装置からの要求に応じて、前記バッファメモリに記憶した前記印刷対象画像の画像データを前記画像印刷装置に対して送信する、
ことを特徴とする画像記録装置。
【００１１】
適用例１の画像記録装置によれば、印刷対象画像が記録されている記録媒体に対しても印刷を実行することが可能となる。
【００１２】
なお、「画像記録装置と画像印刷装置とをダイレクトに接続する」とは、コンピュータ等の機器を中継せずに、画像記録装置と画像印刷装置との間で、有線あるいは無線の通信規格に従って、直接通信が実行される状態を意味している。
【００１３】
［適用例２］
適用例１記載の画像記録装置であって、
前記ユーザインタフェースは、前記バッファメモリに前記印刷対象画像の画像データの全てが記憶された後に、前記画像記録装置から前記記録媒体を脱着することを許可する旨の着脱許可表示を前記表示部に表示するとともに、ユーザが印刷動作の実行を指示することを許容し、
前記印刷制御手段は、前記印刷動作の実行の指示に基づいて、前記印刷ジョブの開始メッセージを前記画像印刷装置に通知するとともに、前記画像印刷装置からの要求に応じて、前記バッファメモリに記憶した前記印刷対象画像の画像データを前記画像印刷装置に対して送信する、
ことを特徴とする画像記録装置。
【００１４】
適用例２の画像記録装置によれば、画像記録装置から記録媒体を脱着可能であることを、ユーザに容易に知らせることができる。
【００１５】
なお、本発明は、種々の形態で実現することが可能であり、例えば、画像記録装置や、画像記録装置の制御方法、画像印刷方法、それらの方法や装置の機能を実現するためのコンピュータプログラム、そのコンピュータプログラムを記録した記録媒体、そのコンピュータプログラムを含み搬送波内に具現化されたデータ信号、等の形態で実現することができる。
【発明を実施するための最良の形態】
【００１６】
以下、本発明の実施の形態を実施例に基づいて以下の順序で説明する。
Ａ．ダイレクト印刷システム：
Ｂ．レーベル印刷動作：
Ｃ．変形例：
【００１７】
Ａ．ダイレクト印刷システム：
図１は、本発明の一実施例としての画像記録装置を適用したダイレクト印刷システムの概略構成を示す説明図である。このダイレクト印刷システムは、画像記録装置としてのＤＶＣ１００と、画像印刷装置としてのプリンタ２００とが、ＵＳＢケーブル３００で接続された構成を有している。
【００１８】
ＤＶＣ１００は、種々の画面を表示する表示パネル１０２や、ユーザの入力手段としてのタッチパネル１０４を備える。なお、入力手段としては、その他、種々の操作ボタンを有する操作部も備えるが、図示は省略されている。また、ＤＶＣ１００は、PictBridgeの規格に従ったダイレクト印刷を実行するための機能ブロックとして、ＤＶＣ−ＰＴＢ部１１０と、ＵＳＢデバイス制御部１２０と、ユーザインタフェース１３０と、ＤＶＤデバイス（ＤＶＤドライブ装置）１４０と、ＰＴＢデータメモリ１５０と、バッファメモリ１６０と、を備える。
【００１９】
プリンタ２００も、ＤＶＣ１００と同様に、種々の画面を表示する表示パネル２０２や、入力手段としてのタッチパネル２０４および種々の操作ボタンを有する操作部２０６を備える。また、プリンタ２００は、ＤＶＣ１００と同様に、PictBridgeの規格に従ったダイレクト印刷を実行するための機能ブロックとして、ＰＲＴ−ＰＴＢ部２１０と、ＵＳＢホスト制御部２２０と、ユーザインタフェース２３０と、プリントデバイス２４０と、ＰＴＢデータメモリ２５０と、バッファメモリ２６０と、を備える。
【００２０】
ＤＶＣ１００のＵＳＢデバイス制御部１２０とプリンタ２００のＵＳＢホスト制御部２２０は、ＤＶＣ１００のＵＳＢコネクタ１２２、ＵＳＢケーブル３００、および、プリンタ２００のＵＳＢコネクタ２２２を介して、互いに接続される。そして、ＵＳＢデバイス制御部１２０とＵＳＢホスト制御部２２０との間では、ＵＳＢ（Universal Serial Bus）の規格に従った通信が実行される。
【００２１】
ＤＶＣ１００のＤＶＣ−ＰＴＢ部１１０とプリンタ２００のＰＲＴ−ＰＴＢ部２１０は、ＤＶＣ１００のＵＳＢデバイス制御部１２０、コネクタ１２２、プリンタ２００のコネクタ２２２、および、ＵＳＢホスト制御部２２０を介して、互いに接続される。そして、ＤＶＣ−ＰＴＢ部１１０とＰＲＴ−ＰＴＢ部２１０との間では、PictBridgeの規格に従った通信が実行されることにより、印刷対象画像データがＤＶＣ１００からプリンタ２００に転送されて、ダイレクト印刷が実行される。すなわち、PictBridgeの規格に従って実行されるダイレクト印刷において、ＤＶＣ−ＰＴＢ部１１０はＤＶＣ１００側がPictBridgeの規格に従って動作するように制御し、ＰＲＴ−ＰＴＢ２１０はプリンタ２００側がPictBridgeの規格に従って動作するように制御する。
【００２２】
なお、ＤＶＣ−ＰＴＢ部１１０は、主に、ＰＲＴ−ＰＴＢ部２１０のプリントサーバ２１２に対して印刷対象画像の印刷を要求するプリントクライアント１１２、および、ＰＲＴ−ＰＴＢ部２１０のストレージクライアント２１４からの要求に応じて印刷対象画像データを送信するストレージサーバ１１４として機能する。また、ＰＲＴ−ＰＴＢ部２１０は、主に、ＤＶＣ−ＰＴＢ部１１０のプリントクライアント１１２からの印刷の要求に応じて、ダイレクト印刷動作を実行するプリントサーバ２１２、および、ＤＶＣ−ＰＴＢ１１０のストレージサーバ１１４に対して印刷対象画像データの送信を要求するストレージクライアント２１４として機能する。
【００２３】
ＤＶＣ１００のユーザインタフェース１３０は、ＤＶＣ１００の動作に応じた画面を表示パネル１０２に表示するための制御や、ユーザによるタッチパネル１０４や操作部からの入力動作を制御する。
【００２４】
ＤＶＣ１００のＤＶＤデバイス１４０は、図示しない装着部に装着した記録媒体としてのＤＶＤへの画像データの記録や、装着した記録媒体としてのＤＶＤに記録されている画像データの読み出しを実行する記録再生装置である。
【００２５】
ＤＶＣ１００のＰＴＢデータメモリ１５０は、ＤＶＣ−ＰＴＢ部１１０でPictBridgeの規格に従ってサポートするコマンドや動作条件に関するデータを記憶するメモリである。また、バッファメモリ１６０は、ＤＶＤデバイス１４０によって読み出された画像データ等の種々のデータを一時記憶するメモリである。
【００２６】
プリンタ２００のユーザインタフェース２３０は、プリンタ２００の動作に応じた画面を表示パネル２０２に表示するための制御や、ユーザによるタッチパネル２０４や操作部２０６からの入力動作を制御する。
【００２７】
プリンタ２００のプリントデバイス２４０は、実際に印刷を実行する印刷装置である。
【００２８】
プリンタ２００のＰＴＢデータメモリ２５０は、ＰＲＴ−ＰＴＢ部２１０でPictBridgeの規格に従ってサポートするコマンドや動作条件に関するデータを記憶するメモリである。また、バッファメモリ２６０は、ＤＶＣ１００から送信される印刷対象画像データ等の種々のデータを一時記憶するメモリである。
【００２９】
以上説明したＤＶＣ１００およびプリンタ２００では、ＤＶＣ−ＰＴＢ部１１０とＰＲＴ−ＰＴＢ部２１０との間で、PictBridgeの規格に従った通信が実行されることにより、ＤＶＣ１００のＤＶＤデバイス１４０に装着されている記録媒体としてのＤＶＤに記録されている印刷対象画像データが、ＤＶＣ１００からプリンタ２００に転送されて、印刷対象画像のダイレクト印刷が実行される。本発明の特徴は、ＤＶＣ１００のＤＶＣ−ＰＴＢ１１０が以下で説明するように動作することにより、印刷対象画像が記録されている記録媒体としてのＤＶＤを、印刷媒体としてレーベル印刷を実行することが可能となる点にある。そこで、以下では、レーベル印刷動作について説明する。
【００３０】
Ｂ．レーベル印刷動作：
図２は、ダイレクト印刷によるレーベル印刷の動作手順を示す説明図である。なお、以下で説明する動作を開始する前提として、あらかじめ、ＵＳＢケーブル３００がＤＶＣ１００のコネクタ１２２およびプリンタ２００のコネクタ２２２に接続されることにより、ＤＶＣ１００のＵＳＢデバイス制御部１２０およびプリンタ２００のＵＳＢホスト制御部２２０では、この接続を検知してＵＳＢの規格に従った通信を実行するための種々の準備処理が実行される。また、この検知をトリガとして、ＤＶＣ１００のＤＶＣ−ＰＴＢ部１１０およびプリンタ２００のＰＲＴ−ＰＴＢ部では、互いの機器がPictBridgeの規格に対応する機器であるか否かのネゴシエーションや、互いの機器が対応するサービスのネゴシエーション等、通常の準備処理は実行されているものとする。
【００３１】
まず、ステップ［１］において、ユーザインタフェース（ＵＩ）１３０は、ユーザインタフェース画面として、ダイレクト印刷のための設定画面を、表示パネル１０２に表示する。
【００３２】
図３は、ダイレクト印刷のための設定画面を示す説明図である。この印刷設定画面４００には、印刷対象画像のプレビュー表示欄４１０、印刷対象画像選択ボタン４１２、用紙（印刷媒体）設定欄４２０、印刷枚数設定欄４３０、レーベル印刷設定欄４４０、印刷開始ボタン４５０、および、終了ボタン４６０が表示されている。
【００３３】
ユーザは、ステップ［２］において、印刷設定画面４００の各設定欄４２０，４３０，４４０の選択タブ４２２，４３２，４４２を適宜押して、所望の用紙、印刷枚数、レーベル印刷機能を選択設定することができる。また、印刷対象画像選択ボタン４１２を押してプレビュー表示欄４１０に表示される画像を参照しながら、印刷対象画像を選択設定することができる。また、印刷開始ボタン４５０を押して、ダイレクト印刷の処理を開始することができる。なお、図の例では、用紙として「８ｃｍのＣＤ／ＤＶＤ」が選択設定され、印刷枚数として「１枚」が選択設定され、レーベル印刷機能として「有効（ＯＮ）」が選択設定されている場合を示している。ここで、「レーベル印刷機能」は、本発明の特徴である、記録媒体に記録されている印刷対象画像を、その記録媒体のレーベルとして印刷する機能を示している。
【００３４】
レーベル印刷機能として「有効（ＯＮ）」が選択設定されている状態で印刷開始ボタン４５０が押されると、プリントクライアント１１２は、レーベル印刷機能による印刷を実行するためのダイレクト印刷の処理を開始する。なお、レーベル印刷機能として「無効（ＯＦＦ）」が選択設定されている状態で印刷開始ボタン４５０が押された場合には、通常のダイレクト印刷の処理が開始される。
【００３５】
レーベル印刷機能による印刷を実行するためのダイレクト印刷の処理を開始すると、プリントクライアント１１２は、ステップ［３］において、ＤＶＤデバイス１４０を介して、ＤＶＤデバイス１４０に装着されている記録媒体としてのＤＶＤから印刷対象画像データを読み出し、バッファメモリ１６０に記憶する。
【００３６】
このとき、ユーザインタフェース１３０は、プリントクライアント１１２が印刷対象画像データをバッファメモリ１６０に記憶している間、ステップ［４］において、図４に示すように、表示パネル１０２に、ディスク取り出し準備中であることをユーザに示す画面（ディスク取り出し準備中画面）５００を表示する。そして、全ての印刷対象画像データのバッファメモリ１６０への記憶を終了すると、ステップ［５］において、表示パネル１０２に、図５に示すように、ディスク（ＤＶＤ）を取り出してプリンタにセットすることを促す画面（ディスク取り出し許可画面）６００を表示する。このとき、ユーザは、ＤＶＤデバイス１４０に装着されているＤＶＤを着脱し、プリンタ２００に印刷媒体としてセットすることができる。
【００３７】
そして、ステップ［６］において、ユーザが、図５に示した印刷実行ボタン６１０を押すことにより、印刷実行を指示すると、プリントクライアント１１２は、ステップ［７］において、プリントサーバ２１２に対して、PictBridgeの規格で定義されているアクション「DPS_StartJob」を用いたリクエストメッセージを送信することにより、レーベル印刷のジョブの開始を要求する。これにより、印刷対象画像の印刷が実行される。なお、以降の処理は、通常のダイレクト印刷における処理と同じであるので、説明を省略する。
【００３８】
以上説明したように、ＤＶＣ１００では、レーベル印刷機能が「有効（ＯＮ）」に選択設定されている場合において、記録媒体としてのＤＶＤから印刷対照画像データを読み出してバッファメモリ１６０に記憶するため、印刷媒体でもある記録媒体としてのＤＶＤをＤＶＤデバイス１４０から着脱して、プリンタ２００に印刷媒体としてセットすることができる。これにより、印刷対象画像が記録されている記録媒体としてのＤＶＤを、印刷媒体としてレーベル印刷を実行することが可能となる。特に、画像記録装置としてのＤＶＣ１００が、印刷対象画像が記録されている記録媒体としてのＤＶＤを、印刷媒体とするレーベル印刷に対応しておればよく、プリンタ２００として、PictBridgeの規格に従った従来のダイレクト印刷に対応するプリンタを用いることができる。
【００３９】
Ｃ．変形例：
なお、本発明は上記した実施例や実施形態に限られるものではなく、その要旨を逸脱しない範囲において種々の態様にて実施することが可能である。
【００４０】
上記実施例では、画像印刷装置としてのプリンタに接続する画像記録装置としてＤＶＣを例に説明したが、これに限定されるものではなく、ＤＶＤレコーダ等のＤＶＤを記録媒体として装着できる画像記録装置であれば、適用可能である。
【００４１】
また、上記実施例では、従来のＤＶＤを記録媒体としかつ印刷媒体とする場合を例として説明したが、これに限定されるものではなく、ＢＤ（Blue-ray Disk）やＨＤ−ＤＶＤなどの次世代ＤＶＤやＣＤ等、着脱可能な種々の可搬型の記録媒体としてもよい。すなわち、印刷対象画像データが記憶可能な媒体であり、かつ、その媒体自身が印刷可能なものであればよく、その媒体を記録媒体として装着できる画像記録装置として適用可能である。
【００４２】
また、上記実施例では、ＤＶＣ１００とプリンタ２００との間をＵＳＢケーブル３００で接続し、ＤＶＣ１００とプリンタ２００との間でＵＳＢの規格に従った通信が実行される場合を例に説明したが、有線接続、無線接続を問わず種々の規格に従った通信が実行される場合においても、適用可能である。
【００４３】
また、上記実施例では、ダイレクト印刷を実現するために、PictBridgeの規格を適用した印刷システムを例に説明しているが、これに限定されるものではなく、その他のダイレクト印刷を実現するための規格を適用した印刷システムにおいても適用可能である。
【図面の簡単な説明】
【００４４】
【図１】本発明の一実施例としてのダイレクト印刷システムの概略構成を示す説明図である。
【図２】ダイレクト印刷によるレーベル印刷の動作手順を示す説明図である。
【図３】ダイレクト印刷のための設定画面を示す説明図である。
【図４】記録媒体取り出し準備中画面を示す説明図である。
【図５】記録媒体取り出し許可画面を示す説明図である。
【符号の説明】
【００４５】
１００…ＤＶＣ(デジタルビデオカメラ)
１０２…表示パネル
１０４…タッチパネル
１１２…プリントクライアント
１１４…ストレージサーバ
１２０…ＵＳＢデバイス制御部
１２２…コネクタ
１３０…ユーザインタフェース
１４０…ＤＶＤデバイス（ＤＶＤドライブ装置）
１５０…ＰＴＢデータメモリ
１６０…バッファメモリ
２００…プリンタ
２０２…表示パネル
２０４…タッチパネル
２０６…操作部
２１０…ＰＲＴ−ＰＴＢ部
２１２…プリントサーバ
２１４…ストレージクライアント
２２０…ＵＳＢホスト制御部
２２２…コネクタ
２３０…ユーザインタフェース
２４０…プリントデバイス
２５０…ＰＴＢデータメモリ
２６０…バッファメモリ
４００…印刷設定画面
４１０…プレビュー表示欄
４１２…印刷対象画像選択ボタン
４２０…用紙（印刷媒体）設定欄
４３０…印刷枚数設定欄
４４０…レーベル印刷設定欄
４２２，４３２，４４２…選択タブ
４５０…印刷開始ボタン
４６０…終了ボタン
５００…ディスク取り出し準備中画面
６００…ディスク取り出し許可画面
６１０…印刷実行ボタン
【図１】
2009187106.tif 000003
【図２】
2009187106.tif 000004
【図３】
2009187106.tif 000005
【図４】
2009187106.tif 000006
【図５】
2009187106.tif 000007